(57)【要約】【課題】暗所でも光エレメントの識別が容易で、従来の個体識別用のナンバリングが不要な光プレハブ分岐ケーブルを提供する。【解決手段】光プレハブ分岐ケーブル１１の一部を構成する複数本の光エレメント１１を、外周面全体の色相によってそれぞれ色分けしたので、暗所でも複数本の光エレメント１１中から所望の光エレメント１１を容易に識別することができる。これにより、従来の光エレメントの外周面に付されていた個体識別用のナンバリングを省略することができる。【選択図】図１
0003139611.tif 000002
【実用新案登録請求の範囲】
【請求項１】
複数本の光エレメントが中心テンションメンバの外周面に単層または多層に巻き付けられ、かつ前記複数本の光エレメントの中から選出された該光エレメントが、光プレハブ分岐ケーブルの長さ方向の所定位置で分岐される光プレハブ分岐ケーブルにおいて、
前記各層に配置された複数本の光エレメントは、該光エレメントの外周面全体の色相によりそれぞれ色分けされた光プレハブ分岐ケーブル。
【請求項２】
複数本の光エレメントが中心テンションメンバの外周面に単層または多層に巻き付けられ、かつ前記複数本の光エレメントの中から選出された該光エレメントが、光プレハブ分岐ケーブルの長さ方向の所定位置で分岐される光プレハブ分岐ケーブルにおいて、
前記各層には３本以上の光エレメントが配置され、そのうち１本は外周面が各層共通の色相を有した起点用のトレーサ光エレメントで、残りは該トレーサ光エレメントを起点とし、前記中心テンションメンバを中心として周方向へ任意配列または周期配列され、かつその配列内の各光エレメントは外周面全体の色相が異なる複数の異色光エレメントである光プレハブ分岐ケーブル。
【考案の詳細な説明】
【技術分野】
【０００１】
この考案は光プレハブ分岐ケーブル、詳しくはマンションおよびビルなどの各階に光ファイバを配線する際に利用される光プレハブ分岐ケーブルに関する。
【背景技術】
【０００２】
例えばマンション（集合住宅）への光ファイバの布設には、複数本の光ファイバを集合させた光プレハブ分岐ケーブルが多用されている。光プレハブ分岐ケーブルはマンション内に垂直に布設され、必要に応じてその途中から光ファイバを分岐し、この分岐された光ファイバを各階の各部屋に供給するものである。
このような従来の光プレハブ分岐ケーブルとして、光ファイバが埋設された断面矩形状の複数本の光エレメントを、中心テンションメンバの外周面に多層に巻き付けたものが知られている（例えば特許文献１）。これは、あらかじめ工場内で、建物の各階の各部屋まで光エレメントを配線可能な高さ位置で、ケーブルから光エレメントを所望長さだけ解かれたものである。各光エレメントの外周面は単一色で、かつその外周面には、各光エレメントを示す番号、記号、文字などの読み取りが必要な識別情報が表示されていた。
【特許文献１】特開２００５−１２８２７０号公報
【考案の開示】
【考案が解決しようとする課題】
【０００３】
しかしながら、従来の光プレハブ分岐ケーブルは、このように分岐される光エレメントの外周面が単一色で、各光エレメントを識別するものは、各光エレメントの外周面に記載された番号、記号、文字などの読み取りが必要な識別情報のみであった。
しかも、光プレハブ分岐ケーブルを布設する作業は、例えばパイプシャフトスペースの内部空間など、暗所で行われる場合が多い。そのため、ケーブル布設後、光ファイバ配線や光コネクタとを接続するとき、単一色の光エレメントの外周面に表示された番号、記号、文字などの識別情報が読み取り難かった。その結果、光プレハブ分岐ケーブルの布設の作業効率が低下し、誤接続の発生頻度が高くなっていた。
【０００４】
そこで、この考案は、暗所でも複数本の光エレメント中から所望の光エレメントを容易に識別することができ、これにより従来の光エレメントの外周面に付されていた個体識別用のナンバリングを省略することが可能な光プレハブ分岐ケーブルを提供することを目的としている。
【課題を解決するための手段】
【０００５】
請求項１に記載の考案は、複数本の光エレメントが中心テンションメンバの外周面に単層または多層に巻き付けられ、かつ前記複数本の光エレメントの中から選出された該光エレメントが、光プレハブ分岐ケーブルの長さ方向の所定位置で分岐される光プレハブ分岐ケーブルにおいて、前記各層に配置された複数本の光エレメントは、該光エレメントの外周面全体の色相によりそれぞれ色分けされた光プレハブ分岐ケーブルである。
【０００６】
請求項１に記載の考案によれば、光プレハブ分岐ケーブルの一部を構成する複数本の光エレメントを、外周面全体の色相によってそれぞれ色分けしたので、暗所でも複数本の光エレメント中から所望の光エレメントを容易に識別することができる。これにより、従来の光エレメントの外周面に付されていた個体識別用のナンバリングを省略することができる。すなわち、例えば集合住宅のパイプシャフトスペースなどの暗所において、各階の部屋内の光ファイバ配線と所望の光エレメントと接続するような場合、従来のように作業者が目を凝らして単一色の光エレメントの外周面に表示された番号、記号、文字などの識別情報を読み取る必要がなくなり、暗所でも見分けやすい光エレメントの外周面全体の色相をたよりにできる。その結果、各光エレメントの識別が容易となる。
【０００７】
光プレハブ分岐ケーブルは、複数本の光エレメントが中心テンションメンバの外周面に巻き付けられ、かつ複数本の光エレメントの中から選出された光エレメントが、光プレハブ分岐ケーブルの長さ方向の一端から所定長さ離れた分岐位置で分岐されるものであれば任意である。
光プレハブ分岐ケーブルは、高層ビルや高層マンションの幹線など、縦方向（垂直）に吊設しても、低層マンションなどで横方向に世帯数が多い場合など、共用部（廊下）の天井に光プレハブ分岐ケーブルを水平に配線し、分岐線を各住戸に引き込むようにしてもよい。
【０００８】
光エレメントとは、外被部である光エレメント被覆に光ファイバが埋め込まれたものである。例えば、断面が略矩形状の光エレメント被覆と、光エレメント被覆の幅方向の両端部に１本ずつ埋設されたテンションメンバと、光エレメント被覆の幅方向の中間部に埋設された１本または複数本の光ファイバとを有したものを採用することができる。光エレメント被覆の素材としては、難燃性ポリエチレン、ポリエチレン、ポリ塩化ビニル、ポリオレフィンなどの熱可塑性樹脂または熱可塑性エラストマ、またはウレタンなどを採用することができる。テンションメンバとは、光エレメントに張力が作用した場合、その張力に抵抗する線材である。例えば、金属線、ＦＲＰ（Ｆｉｂｅｒ  Ｒｅｉｎｆｏｒｃｅｄ  Ｐｌａｓｔｉｃｓ）線などを採用することができる。
光エレメントは、中心テンションメンバの外周面に単層に巻き付けても、２層以上の多層（内層、外層など）に巻き付けてもよい。
光エレメントの色相は、例えば赤、青、黄、緑、紫、金、銀など任意である。ただし、暗所での発見が容易となるように、各色の彩度および明度を高くした方が好ましい。
光エレメントの分岐位置は、光プレハブ分岐ケーブルの長さ方向のどの位置でもよい。また、光エレメントの分岐位置は１箇所でも２箇所以上でもよい。
【０００９】
中心テンションメンバとは、光プレハブ分岐ケーブルの中心部に配置され、光プレハブ分岐ケーブルに張力が作用したとき、この張力に抵抗する金属線である。中心テンションメンバの具体的な構造としては、例えば鋼製の撚り線を、難燃性ポリエチレン、ポリエチレン、ポリ塩化ビニル、ポリオレフィンなどの熱可塑性樹脂または熱可塑性エラストマからなるシースにより被覆し、円柱状に仕上げたものなどを採用することができる。
中心テンションメンバへの各光エレメントの固定には、例えばバインド線、シースなどを採用することができる。バインド線としては、例えば鋼線などの金属線をポリエチレン、ポリ塩化ビニルなどの合成樹脂により被覆したものを採用することができる。
複数本の光エレメントの中から選出される光エレメントの本数は、１本でも２本以上でもよい。
【００１０】
請求項２に記載の考案は、複数本の光エレメントが中心テンションメンバの外周面に単層または多層に巻き付けられ、かつ前記複数本の光エレメントの中から選出された該光エレメントが、光プレハブ分岐ケーブルの長さ方向の所定位置で分岐される光プレハブ分岐ケーブルにおいて、前記各層には３本以上の光エレメントが配置され、そのうち１本は外周面が各層共通の色相を有した起点用のトレーサ光エレメントで、残りは該トレーサ光エレメントを起点とし、前記中心テンションメンバを中心として周方向へ任意配列または周期配列され、かつその配列内の各光エレメントは外周面全体の色相が異なる複数の異色光エレメントである光プレハブ分岐ケーブルである。
【００１１】
請求項２に記載の考案によれば、最外周の層から中心テンションメンバ側の層に向かって、各層の光エレメントを、中心テンションメンバを中心とした周方向へ順に、光プレハブ分岐ケーブルから引き出して分岐する。
【００１２】
各トレーサ光エレメントの外周面の色相は任意であるものの、異色光エレメントの外周面の色相と異なる方が好ましい。ただし、トレーサ光エレメントと異色光エレメントとを同一色相とした場合であっても、彩度、明度を異ならせたり、金属光沢を付与するなどすれば識別可能である。
トレーサ光エレメントおよび各異色光エレメントは、素材、形状、大きさ、表面加工（手触り）の全てが同じでも、そのうちの少なくとも１つが異なってもよい。このことは、各異色光エレメント間でも言える。
複数の異色光エレメントは、トレーサ光エレメントを起点とし、中心テンションメンバを中心として周方向へ配列される。
【００１３】
ここでいう「任意配列」とは、複数の異色光エレメントが周期をもたない任意の色相順（外周面の色相順）で並んでいる状態をいう。任意配列の中に、同一色相の異色光エレメントが２つ以上存在してもよい。もちろん、任意配列の中、全ての異色光エレメントが異なる色相でもよい。
ここでいう「周期配列」とは、色相が異なる２つ以上の異色光エレメントが、所定の順序で繰り返し配置されている状態をいう。
【考案の効果】
【００１４】
請求項１に記載の考案によれば、光プレハブ分岐ケーブルの一部を構成する複数本の光エレメントを、外周面全体の色相によってそれぞれ色分けしたので、暗所でも複数本の光エレメント中から所望の光エレメントを容易に識別することができる。これにより、従来の光エレメントの外周面に付されていた個体識別用のナンバリングを省略することができる。
【考案を実施するための最良の形態】
【００１５】
以下、この考案の実施例を具体的に説明する。
【実施例１】
【００１６】
以下、図面を参照して、この考案の実施例１に係る光プレハブ分岐ケーブルを説明する。
図１および図２において、１０はこの考案の実施例１に係る光プレハブ分岐ケーブルである。この光プレハブ分岐ケーブル１０は、合計３０本の光エレメント１１が中心テンションメンバ１２の外周面に、３層の撚り線状態で巻き付けられたものである。光プレハブ分岐ケーブル１０は、あらかじめ工場内で、３０本の光エレメント１１の中から選出された光エレメント１１が、光プレハブ分岐ケーブル１０の長さ方向の所定位置よりそれぞれ分岐される。
【００１７】
以下、これらの構成部品を具体的に説明する。
図１に示すように、中心テンションメンバ１２は、７本の鋼線からなる撚り線を、難燃性ポリエチレンのシース１３により厚肉に被覆し、円柱状に仕上げたものである。
図１〜図４に示すように、各光エレメント１１は、外被部である光エレメント被覆１４に光ファイバ１５が埋め込まれた構造を有している。
光エレメント被覆１４は、難燃性ポリエチレン製の湾曲自在な線材で、その断面は略矩形状である。光エレメント被覆１４の幅方向の中間部（断面における長さ方向の中間部）の外側部分には、Ｖ字溝１４ａが１条ずつ形成されている。これにより、光エレメント被覆１４は、その幅方向で一端部と他端部とに２分割される。この分割部分にはテンションメンバ１６が、その全長にわたって１本ずつ埋設されている。テンションメンバ１６とは、光エレメント１１の張力を受ける芯材である。ここでは鋼線を採用している。光エレメント被覆１４の幅方向の中央部には、１本の光ファイバ１５（図３）または２本の光ファイバ１５（図４）が、その全長にわたって埋め込まれている。その他、光エレメント被覆１４の幅方向の中央部には、２本の光ファイバを一括被覆した２心光ファイバテープ心線１５Ａ（図５）または４本の光ファイバを一括被覆した４心光ファイバテープ心線１５Ｂ（図６）を埋め込んでもよい。
【００１８】
図１に示すように、第１層（最も内側の層）の光エレメント１１（群）は、１本のトレーサ光エレメント１１Ｔと５本の異色光エレメント１１Ａ〜１１Ｅとからなる。第２層（中間の層）の光エレメント１１（群）は、１本のトレーサ光エレメント１１Ｔと９本の異色光エレメント１１Ａ〜１１Ｅとからなる。第３層（最も外側の層）の光エレメント１１（群）は、１本のトレーサ光エレメント１１Ｔと１３本の異色光エレメント１１Ａ〜１１Ｅとからなる。また、各層の異色光エレメント１１Ａ〜１１Ｅは、トレーサ光エレメント１１Ｔを起点とし、青、黄、緑、赤、紫の順に周期的に配列されている。また、各層を構成する光エレメント１１の固定は、バインド線１７を、集合された各光エレメント１１へ螺旋状に巻き付けることで行われる。バインド線１７は、鉄線をポリエチレンにより被覆した湾曲自在な線材である。
【００１９】
次に、図１〜図８を参照して、この考案の実施例１に係る光プレハブ分岐ケーブル１０の２階建てのマンションＭへの施工方法を説明する。なお、図７および図８では、光プレハブ分岐ケーブル１０の各層から分岐される光エレメント数を省略している。
図７に示すように、光プレハブ分岐ケーブル１０は、あらかじめ、施工されるマンションＭの各階の戸数に合わせた光エレメント１１の本数、対応する階までの光エレメント１１の長さ、または対応する各階の各戸までの光エレメント１１の長さに基づき、工場内で製造される。
【００２０】
図７および図８に示すように、光プレハブ分岐ケーブル１０は、まずマンションＭの各階の床を垂直に貫通したパイプシャフトスペースＳの内部空間に沿って引き上げられる。その後、その元部が主配線盤２０に接続される。パイプシャフトスペースＳは、一般に暗所である。光プレハブ分岐ケーブル１０からは、各階に対応する高さ位置（分岐位置）より、その階の各戸へ配線される光エレメント１１が必要本数だけ分岐される。その際、各光エレメント１１は、各戸にあらかじめ据えられた情報分電盤１８に対して、直接、光エレメント１１を接続してもよい。また、各光エレメント１１を、光接続箱１９を中間に介して各戸の情報分電盤１８に接続してもよい。ここでは、１階用の各光エレメント１１を１階の情報分電盤１８に接続し、２階用の各光エレメント１１を２階の情報分電盤１８または光接続箱１９に接続する。
【００２１】
以下、分岐された各光エレメント１１と、情報分電盤１８または光接続箱１９とを接続する際における、各光エレメント１１の暗所（パイプシャフトスペースＳ）での識別方法を説明する。
各階で分岐される光エレメント１１は、最外周の層（第３層）から中心テンションメンバ１２側の層（第１層）に向かい、かつ各層内では中心テンションメンバ１２を中心とした周方向へ順に、光プレハブ分岐ケーブル１０から引き出して分岐される。
【００２２】
第１層〜第３層での各光エレメント１１の分岐は、起点のトレーサ光エレメント１１Ｔを１本目とし、２本目以降は、トレーサ光エレメント１１Ｔの隣のものから５本一組を１周期とした異色光エレメント１１Ａ〜１１Ｅに対して、それぞれ中心テンションメンバ１２の周方向へ１本ずつ順に行われる。すなわち、１階用の光エレメント１１が巻き付けられた最外層（第３層）の場合、１本目がトレーサ光エレメント１１Ｔで、２本目が青の異色光エレメント１１Ａ、３本目が黄の異色光エレメント１１Ｂ、４本目が緑の異色光エレメント１１Ｃ、５本目が赤の異色光エレメント１１Ｄ、６本目が紫の異色光エレメント１１Ｅである（以上、第３層の異色光エレメント１１Ａ〜１１Ｅの１周期目）。続く２周期目は、７本目が青の異色光エレメント１１Ａ、８本目が黄の異色光エレメント１１Ｂ、９本目が緑の異色光エレメント１１Ｃ、１０本目が赤の異色光エレメント１１Ｄ、１１本目が紫の異色光エレメント１１Ｅである。３周期目は１２本目が青の異色光エレメント１１Ａ、１３本目が黄の異色光エレメント１１Ｂ、１４本目が緑の異色光エレメント１１Ｃである。
【００２３】
また、２階用の光エレメント１１Ａ〜１１Ｅが巻き付けられた第２層および第１層の場合、第２層の１本目がトレーサ光エレメント１１Ｔで、２本目が青の異色光エレメント１１Ａ、３本目が黄の異色光エレメント１１Ｂ、４本目が緑の異色光エレメント１１Ｃ、５本目が赤の異色光エレメント１１Ｄ、６本目が紫の異色光エレメント１１Ｅである（以上、第２層の１周期目）。続く第２層の２周期目は、７本目が青の異色光エレメント１１Ａ、８本目が黄の異色光エレメント１１Ｂ、９本目が緑の異色光エレメント１１Ｃ、１０本目が赤の異色光エレメント１１Ｄである。次に、第１層の１本目がトレーサ光エレメント１１Ｔ（第２層からの通しで１１本目）、第１層の２本目が１周期目の青の異色光エレメント１１Ａ（第２層からの通しで１２本目）、それから第１層の３本目が黄の異色光エレメント１１Ｂ（第２層からの通しで１３本目）、第１層の４本目が緑の異色光エレメント１１Ｃ（第２層からの通しで１４本目）、第１層の５本目が赤の異色光エレメント１１Ｄ（第２層からの通しで１５本目）、第１層の６本目が紫の異色光エレメント１１Ｅ（第２層からの通しで１６本目）である。
【００２４】
このように、各光エレメント１１を、外周面全体の色相によってそれぞれ色分けしたので、暗所でも光エレメント１１Ａ〜１１Ｅ中から所望の光エレメント１１を容易に識別することができる。これにより、従来の光エレメントの外周面に付されていた個体識別用のナンバリングを省略することができる。すなわち、例えば暗所であるパイプシャフトスペースＳにおいて、各階の光接続箱１９と、光プレハブ分岐ケーブル１０から分岐された所望の光エレメント１１とを接続する場合、従来のように作業者が目を凝らして単一色の光エレメントの外周面に表示された番号、記号、文字などの識別情報を読み取る必要がない。その結果、暗所でも各光エレメント１１の識別が容易となる。
【００２５】
もちろん、光プレハブ分岐ケーブル１０は、このように複数層（第１層および第２層）の光エレメント１１を、同一階に分岐する必要はない。例えば、使用されるマンションが３階建ての場合、第３層を構成する全ての光エレメント１１を１階用とし、第２層を構成する全ての光エレメント１１を２階用とし、第１層を構成する全ての光エレメント１１を３階用としてもよい。また、各層に配置された多数本の光エレメント１１のうち、その途中本数分を次の階の光エレメント１１に使用してもよい。
【図面の簡単な説明】
【００２６】
【図１】この考案の実施例１に係る光プレハブ分岐ケーブルの拡大断面図である。
【図２】この考案の実施例１に係る光プレハブ分岐ケーブルの一部正面図である。
【図３】この考案の実施例１に係る光プレハブ分岐ケーブルの一部を構成する光エレメントの拡大断面図である。
【図４】この考案の実施例１に係る光プレハブ分岐ケーブルの一部を構成する別の光エレメントの拡大断面図である。
【図５】この考案の実施例１に係る光プレハブ分岐ケーブルの一部を構成するまた別の光エレメントの拡大断面図である。
【図６】この考案の実施例１に係る光プレハブ分岐ケーブルの一部を構成するさらに別の光エレメントの拡大断面図である。
【図７】この考案の実施例１に係る光プレハブ分岐ケーブルの正面図である。
【図８】この考案の実施例１に係る光プレハブ分岐ケーブルの使用状態の斜視図である。
【符号の説明】
【００２７】
１０  光プレハブ分岐ケーブル、
１１  光エレメント、
１１Ｔ  トレーサ光エレメント、
１１Ａ〜１１Ｅ  異色光エレメント、
１２  中心テンションメンバ。
【図１】
0003139611.tif 000003
【図２】
0003139611.tif 000004
【図３】
0003139611.tif 000005
【図４】
0003139611.tif 000006
【図５】
0003139611.tif 000007
【図６】
0003139611.tif 000008
【図７】
0003139611.tif 000009
【図８】
0003139611.tif 000010